(57)【特許請求の範囲】
【請求項１】
ボールを手で掴んで投げる球技用のボールであって、軟質素材からなるボール本体の表
面の側に表側凹部が前記ボール本体の表面の側から前記ボール本体の側に窪むように設け
られ、この表側凹部の前記ボール本体の表面の側の開口部を囲む縁部が可撓性を有し、当
該開口部がボールを掴む人の手の1つの指の腹部で塞がれる大きさであり、前記人の手で
ボールが掴まれた時、前記表側凹部の前記開口部が前記１つの指の前記腹部で塞がれ、前
記開口部の縁部が前記1つの指の前記腹部で前記ボール本体の側に押されて、前記表側凹
部が前記1つの指の前記腹部に対して吸盤効果を発揮するように構成される一方、前記表側凹部は開口部が狭く奥が広い形状になったことを特徴とするボールを掴んで投げる競技用のボール。
【請求項２】
ボールを手で掴んで投げる球技用のボールであって、軟質素材からなるボール本体の表面の側に表側凹部が前記ボール本体の表面の側から前記ボール本体の側に窪むように設けられ、この表側凹部の前記ボール本体の表面の側の開口部を囲む縁部が可撓性を有し、当該開口部がボールを掴む人の手の1つの指の腹部で塞がれる大きさであり、前記人の手でボールが掴まれた時、前記表側凹部の前記開口部が前記１つの指の前記腹部で塞がれ、前記開口部の縁部が前記1つの指の前記腹部で前記ボール本体の側に押されて、前記表側凹部が前記1つの指の前記腹部に対して吸盤効果を発揮するように構成される一方、前記ボール本体が軟質素材からなる内部球体とそれを被覆する軟質素材からなる複数の表皮体とから構成され、各表皮体が前記表面側凹部の設けられた表面部とこの表面部の周縁部から当該表面部の裏側に突出しかつ当該表面部の周縁部を一周する環状になっている側面部と前記表面部と前記側面部とで囲まれて前記表面部の裏面に設けられた裏側凹部とを備え、前記複数個の表皮体側前記内部球体を被覆した場合には、隣接する前記側面部の前記内部球体の側の面が内部球体の表面に触れ、隣接する前記表面部が前記内部球体の表面より離れて配置され、前記裏側凹部が前記内部球体と前記表皮体との間に前記内部球体と前記表面部と前記側面部とで囲まれた空間として形成されたことを特徴とするボールを掴んで投げる競技用のボール。
【発明の詳細な説明】
【技術分野】
【０００１】
本発明は、ボール本体の表面を滑りにくくすることで掴みやすくさせ、投げたりキャッチしたりすることが容易なボールに関する。
【背景技術】
【０００２】
図６を参照し、特許文献１の段落００１２及び図２で開示されたゴルフボールについて説明する。図４０に示したゴルフボール１０１は、内部球体としてのコア１０２が表面部に多数個の凹部１０３を有する樹脂カバー１０４で被覆された構造になっている。
【０００３】
しかしながら、特許文献１で開示されたゴルフボール１０１にあっては、飛距離を大きく伸ばす構造であるものの、凹部１０３がボール１を掴みやすい形状になっていない。
【先行技術文献】
【特許文献】
【０００４】
【特許文献１】特開２０１２−１６６０６０号公報
【発明の概要】
【発明が解決しようとする課題】
【０００５】
本発明は、上記背景技術に鑑みてなされたものであり、表側凹部でボール本体の表面が滑りにくくなることでボールが掴みやなり、ボールを投げたりキャッチしたりすることが容易になることを目的とする。
【課題を解決するための手段】
【０００６】
本発明は、ボール本体の表面の側に表側凹部が設けられ、表側凹部の表面の側の開口部を囲む縁部が可撓性を有し、開口部がボールを掴む指の腹部で塞がれる大きさであることを特徴とする。
【発明の効果】
【０００７】
本発明は、ハンドボール球技のようにボールを手で掴む球技の場合、人がボールを掴んだ時、表側凹部がボールを掴む人の指で塞がれ、吸盤のような効果を発揮し、ボールの表面が滑りにくくなることでボールが掴み易くなり、ボールを投げたりキャッチしたりする場合にプレーのミスの減少につながる。
【０００８】
本発明において、表側凹部は間口部が狭く奥が広い形状になっていれば、開口部に指の腹部が引っ掛かり易くなり、上記表側凹部の吸盤のような効果との相乗効果により更にボールが滑りにくくなることで掴み易くなる。又、本発明において、開口部を囲む縁部が鋭角になっていれば、エッジ効果により指の腹部へ引っ掛かり易くなる。
【図面の簡単な説明】
【０００９】
【図１】発明を実施するための形態１に係るボールの表側凹部と指との関係を示した断面図。
【図２】発明を実施するための形態１に係るボールの一部をボールの直径方向に切断して示した断面図。
【図３】発明を実施するための形態１に係るボールを分解して示した斜視図。
【図４】発明を実施するための形態２に係るボールの一部をボールの直径方向に切断して示した断面図。
【図５】発明を実施するための形態３に係るボールの一部をボールの直径方向に切断して示した断面図。
【図６】特許文献１で開示されたゴルフボールをゴルフボールの直径方向に切断して示した断面図。
【発明を実施するための形態】
【００１０】
図１乃至３を参照し、発明を実施するための形態１に係るボール１について説明する。図３に示したように、ボール１は、表側凹部８がボール本体２０の表面９の側に設けられ、表側凹部８の表面９の側の開口部１０を囲む縁部１１が可撓性を有し、開口部１０がボール１を掴む指１２の腹部１３で塞がれる大きさであることから、ハンドボール球技のようにボール１を手で掴む球技の場合、人がボール１を掴んだ時、表側凹部８がボール１を掴む人の指１２の腹部１３で塞がれ、吸盤のような効果を発揮し、ボール１の表面が滑りにくくなることでボール１が掴み易くなっている。
【００１１】
具体的には、ボール本体２０として、内部球体２を表側凹部８の設けられた表皮体３で被覆した構造を例示したが、内部球体２と表皮体３とが断面で双方に違いが分からないように一体になった構造でも、内部球体２が不在で表皮体３のみからなる構造でも、表皮体３が不在で内部球体２のみからなる構造でも適用可能である。即ち、内部球体２を表皮体３で被覆した構造、内部球体２と表皮体３とが断面で双方に違いが分からないように一体になった構造、内部球体２が不在で表皮体３のみからなる構造、表皮体３が不在で内部球体２のみからなる構造のいずれでも、表側凹部８がボール本体２０の表面９の側に設けられた構造として一義的に概念できる。
【００１２】
図１乃至３では、ボール本体２０が内部球体２を複数個の表皮体３で被覆した構造になっている。内部球体２は、樹脂又はゴム等からなる軟質素材からなり、球体又は楕円体又はそれに類似した形状、球体以外にも切頂二十面体のように平面部を設けた球体又は楕円体又はそれに類似した形状、内部球体２の表面に糸の巻き付けられた構造、内部球体２の表面に糸の巻き付けられていない構造、内部球体２の内部が空気の出し入れの可能で膨張可能な中空な構造、内部球体２の内部に空気の出し入れ不可能な中空な構造、内部球体２の内部がクッション材で埋まった中空でない構造のいずれでも適用可能である。
【００１３】
表皮体３としては、六角形に限定されるものではなく、六角形を例示したが、１つの内部球体２の表面を全体的に被覆した外皮を構成する形状であれば、一種類とは限らず複数種類であっても適用可能である。表皮体３は、樹脂又はゴム等からなる軟質素材を射出成形又はプレス成形又は真空成形等の成形により形成された構造になっており、表面部４と側面部５と面取部６と裏側凹部７と表側凹部８とを備えた構造を例示した。裏側凹部７に図示のされていない柔軟性を有する発泡体又は不織布等の緩衝材からなるクッション部材を設けても適用可能である。面取部６及び裏側凹部７は存在しなくても適用可能である。
【００１４】
図２に示したように、表側凹部８としては、表面部４に多数個設けられ、表面部４の表面９の側から内部に窪む構造を例示した。表側凹部８の表面９の側の開口部１０を囲む縁部１１が鋭角になって可撓性を有し、表側凹部８は開口部１０が狭く奥の横幅が広い形状になった構造を例示した。即ち、表側凹部８は、ボール１の直径方向の断面形状として截頭錐形の窪みになっている。尚、図２では、縁部１１が鋭角の態様を例示したが、鋭角でなくてもよい。又、図２では、表側凹部８の断面形状として截頭錐形を例示したが、逆截頭錐形、寸胴形、截頭球形などでもよい。
【００１５】
図１に示すように、表側凹部８における開口部１０は、ボール１を掴む人の手の指１２の腹部１３で塞がれる大きさであり、人がボール１を掴んだ時、表皮体３の表側凹部８の開口部１０が指１２の腹部１３で塞がれ、縁部１１が指１２の腹部１３で表側凹部８の側に押されて、表側凹部８が吸盤のような効果を発揮し、当該吸盤のような効果によりボール１が滑りにくくなることで掴み易くなり、ボール１を投げたりキャッチしたりすることが容易になる。
【００１６】
図３に戻り、面取部６は、表面部４と側面部５との稜角が平面又は曲面になるように除去された構成でも、側面部５と裏面部との交わる部分まで延長された構成でも適用可能である。側面部５は、表面部４の周縁部から表面部４の裏側に突出し、表面部４の周縁部を一周する環状になっている。よって、表面部４の裏面には、表面部４と側面部５とで囲まれた裏側凹部７が形成される。
【００１７】
内部球体２が複数個の表皮体３で被覆された場合には、隣接する側面部５の内部球体２の側の面が内部球体２の表面に触れ、隣接する表面部４が内部球体２の表面より離れて配置され、裏側凹部７が内部球体２と表皮体３との間に内部球体２と表面部４と側面部５とで囲まれた空間として形成され、隣接する表皮体３どうしの境目に面取部６に基づく谷部が形成され、谷部に手がかかり、ボール１が握りやすくなり、谷部により、ボール１の外観を手縫い調にすることも可能である。
【００１８】
尚、対比例として表皮体３が表面部４に表側凹部８を備えていない場合には、ボール１の表面に汗による水分の付着が発生すると、ボール１の表面が滑りやすくなる。これに対し図２に示した発明を実施するための形態１に係るボール１にあっては、表皮体３が表面部４に表側凹部８を備えたことで、ボール１の表面に汗による水分の付着が発生しても、水分が表側凹部８に格納され、ボール表面に残りにくい状態になり、ボール表面が滑りにくくなる。又、表側凹部８は開口部１０が狭く奥が広い構造により、水分も抜けにくいため保水効果があり、より滑りにくくボールを掴みやすい。
【００１９】
図４を参照し、発明を実施するための形態２に係る表皮体３について説明する。図２では表皮体３が表面部４に表側凹部８を有する構造として表側凹部８が表面部４の表面９から表面部４の内部に窪む態様を例示したが、図４では表皮体３が表面部４に表側凹部１６を有する構造として表面部４の表面９に設けた凸部１４の表面１５から凸部１４の内部に窪む態様を例示した。具体的には、図４に示した表皮体３は、表面部４の表面９に多数個の凸部１４を表面９よりボール１の直径方向外側に突出して備え、凸部１４の表面１５に表側凹部１６を凸部１４の表面１５の側から内部に窪む構造になっている。表側凹部１６の表面１５の側の開口部１７が表面１５の全域広がり、開口部１７を囲む縁部１８が鋭角になって可撓性を有する。表側凹部１６は、開口部１７が狭く奥が広い形状になっていないことが図２に示した表側凹部８と相違する。
【００２０】
即ち、図４に示した表側凹部１６は、ボール１の直径方向の断面形状として半円形の窪みになっている。又、表側凹部１６の開口部１７は、図１に示した表側凹部８の開口部１０がボール１を掴む人の手の指１２の腹部１３に対する吸盤のような効果を発揮する構造に類似する構造になっている。よって、図４に示した表側凹部１６の開口部１７は、図１に示したボール１を掴む人の手の指１２の腹部１３で塞がれる大きさであり、人がボール１を掴んだ時に図４に示した表側凹部１６の開口部１７が指１２の腹部１３で塞がれ、縁部１８が指１２の腹部１３で表側凹部１６の側に押され、表側凹部１６が吸盤のような効果を発揮し、当該吸盤のような効果によりボール１が滑りにくくなることで掴み易くなり、ボール１を投げたりキャッチしたりすることが容易になる。
【００２１】
図５を参照し、発明を実施するための形態３に係る表皮体３について説明する。図５に示した表皮体３は、凸部１４の表面１５に設けられた表側凹部１６の開口部１７が図４に示した表側凹部１６の開口部１７よりも小さく、開口部１７を囲む縁部１８が表面１５に薄肉部となって可撓性を有することが図４に示した表側凹部１６と相違する。又、図５に示した表側凹部１６の開口部１７は、図１に示したボール１を掴む人の手の指１２の腹部１３で塞がれる大きさであり、人がボール１を掴んだ時に図５に示した表皮体３の表側凹部１６の開口部１７が指１２の腹部１３で塞がれ、縁部１８が指１２の腹部１３で表側凹部１６の側に押され、表側凹部１６が吸盤のような効果を発揮し、当該吸盤のような効果によりボール１が滑りにくくなることで掴み易くなり、ボール１を投げたりキャッチしたりすることが容易になる。
【符号の説明】
【００２２】
１    ボール
２    内部球体
３    表皮体
４    表面部
５    側面部
６    面取部
７    裏側凹部
８    表側凹部
９    表面部４の表面
１０  表側凹部８の開口部
１１  表側凹部８の縁部
１２  ボール１を掴む人の指
１３  指１２の腹部
１４  凸部
１５  凸部１４の表面
１６  表側凹部
１７  表側凹部１６の開口部
１８  開口部１７の縁部
２０  ボール本体
【図１】
0006678412.tif 000002
【図２】
0006678412.tif 000003
【図３】
0006678412.tif 000004
【図４】
0006678412.tif 000005
【図５】
0006678412.tif 000006
【図６】
0006678412.tif 000007